(57)【特許請求の範囲】
【請求項１】
トレッド部に、タイヤ赤道面を挟んで配置されたタイヤ周方向に延びる２本の中央側主溝と、該２本の中央側主溝により区画されたタイヤ赤道面上の中央陸部と、を備えた空気入りタイヤであって、
前記中央陸部は、前記各中央側主溝のそれぞれに一端が開口し他端が該中央陸部内で終端するタイヤ周方向に離間して配置された第１及び第２のラグ溝と、該第１及び第２のラグ溝同士を連結するサイプとが、タイヤ周方向に複数組み配置されて複数の大ブロックに区画され、
該大ブロックが前記中央陸部のみに設けられており、１回以上屈曲しつつタイヤ周方向に延びる周方向サイプにより一対の小ブロックに分割されるとともに、
該小ブロック内に、前記周方向サイプと前記中央側主溝とに開口する少なくとも１本の幅方向サイプと、該幅方向サイプと前記各ラグ溝との間に各々少なくとも１本配置され、１回以上屈曲しつつタイヤ幅方向に延びる両端が該小ブロック内で終端するクローズドサイプと、を有することを特徴とする空気入りタイヤ。
【請求項２】
請求項１に記載された空気入りタイヤにおいて、
前記幅方向サイプと前記各ラグ溝との間に、それぞれ前記クローズドサイプを１本ずつ有することを特徴とする空気入りタイヤ。
【請求項３】
請求項１又は２に記載された空気入りタイヤにおいて、
前記各中央側主溝のタイヤ幅方向外側にそれぞれ配置されたタイヤ周方向に延びる２本の外側主溝と、前記中央側主溝と前記外側主溝との間に区画された２つの中間陸部とを備え、
該中間陸部がタイヤ幅方向に延びる複数本のラグ溝により複数のブロックに区画され、該ブロック内に、前記中央側主溝と前記外側主溝とに開口する少なくとも１本の幅方向サイプと、該幅方向サイプと両側の前記ラグ溝との間に各々少なくとも１本配置され、１回以上屈曲しつつタイヤ幅方向に延びる両端が該ブロック内で終端するクローズドサイプと、を有することを特徴とする空気入りタイヤ。
【請求項４】
請求項３に記載された空気入りタイヤにおいて、
前記中間陸部のタイヤ幅方向の最大幅が、前記中央陸部のタイヤ幅方向の最大幅の４０〜７５％の範囲にあることを特徴とする空気入りタイヤ。
【請求項５】
請求項１ないし４のいずれかに記載された空気入りタイヤにおいて、
前記各サイプのタイヤ半径方向深さが、前記中央側主溝のタイヤ半径方向深さの５０〜１００％の範囲にあることを特徴とする空気入りタイヤ。
【請求項６】
請求項１ないし５のいずれかに記載された空気入りタイヤにおいて、
前記各ラグ溝のそれぞれの位相が、互いにタイヤ周方向にずらせて配置されていることを特徴とする空気入りタイヤ。
【発明の詳細な説明】
【技術分野】
【０００１】
本発明は、トレッド部に複数のブロックを備え、ブロック内にサイプを配置した例えばトラック・バス用スタッドレスタイヤ等の空気入りタイヤに関する。
【背景技術】
【０００２】
トレッド部にスパイク等を備えたスパイクタイヤの使用が規制された結果、それらを設けずに氷雪上性能を向上させた空気入りタイヤ（いわゆるスタッドレスタイヤ）が普及している。このようなタイヤのトレッドパターンとしては、トレッド部をタイヤ周方向に延びる複数本の主溝と複数本のラグ溝等によりブロックに区画し、各ブロックに各種のサイプを形成したブロックパターンが広く採用されている。このブロックパターンは、トレッド部に複数のブロックやサイプを形成してエッジ成分（エッジ量）を増加させ、エッジ効果を高める等して、氷雪路面におけるトラクション性能やブレーキ性能等の氷雪上性能を向上させている。
【０００３】
ところで、空気入りタイヤ、例えばトラックやバス用等の重荷重用スタッドレスタイヤは、車両の積載量に応じて使用条件が大きく変動し、積載量が多いときには、接地面積が増加して氷雪上性能が高くなり、逆に、積載量が少ないときには、接地面積が減少して氷雪上性能が低下する傾向がある。そこで、このような空気入りタイヤでは、トレッド部のブロックやサイプの数を増加させて、特に積載量が少ないときの氷雪上性能を確保するのが一般的である（特許文献１参照）。
【０００４】
図３は、このような従来の空気入りタイヤのトレッドパターンの一例を展開して示す平面図であり、そのタイヤ周方向の一部を模式的に示している。
この空気入りタイヤ１００は、図示のように、ジグザグ状に屈曲しつつタイヤ周方向（図では上下方向）に延びる４本の主溝１１０、１１１と、それらにより区画された５列の陸部１２０、１２１、１２２と、を備えている。
【０００５】
この空気入りタイヤ１００では、これら各陸部１２０、１２１、１２２内に、タイヤ幅方向（図では左右方向）に傾斜等して延びる複数本のラグ溝１１２をタイヤ周方向に所定間隔で配置し、それらを複数のブロック１２０Ｂ、１２１Ｂ、１２２Ｂに区画している。また、各ブロック１２０Ｂ、１２１Ｂ、１２２Ｂ内に、両端がブロック内部で終端するサイプ１１５を、ジグザグ状に屈曲しつつ略タイヤ幅方向に延びるように複数本（ここでは４本）ずつ配置している。更に、この空気入りタイヤ１００では、各ブロック１２０Ｂ、１２１Ｂ、１２２Ｂを略同一又は類似形状に形成し、それらの配置位置の位相を、互いにタイヤ周方向にずらせて、タイヤ踏面に略均等に配置している。
【０００６】
この空気入りタイヤ１００では、これら主溝１１０、１１１やラグ溝１１２の配置間隔を比較的短くする等して、トレッド部のブロック数やエッジ成分を増加させている。併せて、各ブロック１２０Ｂ、１２１Ｂ、１２２Ｂ内に多数のサイプ１１５を配置し、これにより、氷雪路面等で発揮されるエッジ効果を高めて氷雪上性能を向上させている。
【０００７】
ところが、この空気入りタイヤ１００のように、ブロック数を増加させて各ブロック１２０Ｂ、１２１Ｂ、１２２Ｂを小さくし、或いは、サイプ１１５の数を増加させると、各ブロックの剛性が低下して摩耗が生じ易くなる傾向がある。従って、この従来の空気入りタイヤ１００では、耐摩耗性能が低下する恐れがあり、氷雪上性能と耐摩耗性能とを両立させるのは難しい。一方、これに対処すべく、主溝１１０、１１１やラグ溝１１２を狭く（細く）してブロック１２０Ｂ、１２１Ｂ、１２２Ｂを大きくすれば、接地面内の接地面積が増加し、ブロックの剛性も高くなって耐摩耗性能等を向上させることができる。しかしながら、この場合には、各溝１１０、１１１、１１２の雪等を排出する効果が低下して、充分な氷雪上性能が得られなくなる恐れがある。
【０００８】
また、従来、トレッド部に形成した複数のブロックに、タイヤ幅方向に直線状に延びて、両端が両側の主溝等に開口する２本の幅方向サイプを形成する等して、耐摩耗性能を維持しながら氷雪上性能を向上させた空気入りタイヤも知られている（特許文献２参照）。
しかしながら、この従来の空気入りタイヤでは、氷雪上での走行において、車両前後方向に効果を発揮するエッジ成分の量がなお充分でなく、耐摩耗性能を確保しつつ、氷雪上性能のさらなる向上を図る必要がある。
【０００９】
【特許文献１】特開２００６−１３１１４８号公報
【特許文献２】特開２００７−１８６１２１号公報
【発明の開示】
【発明が解決しようとする課題】
【００１０】
本発明は、前記従来の問題に鑑みなされたものであって、その目的は、空気入りタイヤの耐摩耗性能を確保しつつ、氷雪上でのトラクション性能やブレーキ性能等の氷雪上性能を向上させることである。
【課題を解決するための手段】
【００１１】
本発明は、トレッド部に、タイヤ赤道面を挟んで配置されたタイヤ周方向に延びる２本の中央側主溝と、該２本の中央側主溝により区画されたタイヤ赤道面上の中央陸部と、を備えた空気入りタイヤであって、前記中央陸部は、前記各中央側主溝のそれぞれに一端が開口し他端が該中央陸部内で終端するタイヤ周方向に離間して配置された第１及び第２のラグ溝と、該第１及び第２のラグ溝同士を連結するサイプとが、タイヤ周方向に複数組み配置されて複数の大ブロックに区画され、該大ブロックが前記中央陸部のみに設けられており、１回以上屈曲しつつタイヤ周方向に延びる周方向サイプにより一対の小ブロックに分割されるとともに、該小ブロック内に、前記周方向サイプと前記中央側主溝とに開口する少なくとも１本の幅方向サイプと、該幅方向サイプと前記各ラグ溝との間に各々少なくとも１本配置され、１回以上屈曲しつつタイヤ幅方向に延びる両端が該小ブロック内で終端するクローズドサイプと、を有することを特徴とする。
【００１２】
ここで、本発明において、各溝やサイプの延びる方向に関して、タイヤ周方向という場合には、タイヤ周方向に平行な場合に加えて、同方向に対して所定の角度で傾斜や湾曲、又は屈曲して延びる等、タイヤ周方向の要素を含んで延びることをいう。同様に、タイヤ幅方向という場合には、タイヤ幅方向に平行な場合に加えて、同方向に対して所定の角度で傾斜や湾曲、又は屈曲して延びる等、タイヤ幅方向の要素を含んで延びることをいう。
【発明の効果】
【００１３】
本発明によれば、空気入りタイヤの耐摩耗性能を確保しつつ、氷雪上でのトラクション性能やブレーキ性能等の氷雪上性能を向上させることができる。
【発明を実施するための最良の形態】
【００１４】
以下、本発明の一実施形態について、図面を参照して説明する。
本実施形態の空気入りタイヤは、例えばトラックやバス等の重荷重用や乗用車用等のスタッドレスタイヤであり、一対のタイヤビード部に配置されたビードコアや、その間に渡ってトロイダル状に延びる少なくとも一層のカーカス層、トレッド部のカーカス層の外周側に配置されたベルト層、及び所定のトレッドパターンが形成されたトレッドゴムを備える等、周知のタイヤ構造を有する。
【００１５】
図１は、本実施形態の空気入りタイヤのトレッドパターンを展開して示す平面図であり、そのタイヤ周方向の一部を模式的に示している。
この空気入りタイヤ１は、図示のように、トレッド部２に、タイヤ周方向（図では上下方向）に延びる少なくとも４本の主溝１０、１１を備え、それらにより区画してタイヤ周方向に延在する５つ（５列）の陸部２０、２１、２２を配置している。また、この空気入りタイヤ１は、陸部２０、２１、２２内に配置された主溝１０、１１と交差する方向、例えばタイヤ幅方向（図では左右方向）に略直線状に、又は傾斜や湾曲、屈曲等して延びる複数本のラグ溝３０、３１、３２、３３、３４を備えている。空気入りタイヤ１は、これら複数本のラグ溝３０、３１、３２、３３、３４等により分断して、各陸部２０、２１、２２を、タイヤ周方向に配列された複数のブロック２０Ｂ、２１Ｂ、２２Ｂに区画している。
【００１６】
主溝１０、１１は、タイヤ赤道面ＣＬを挟んで配置された２本の中央側主溝１０と、そのタイヤ幅方向外側のトレッド端（タイヤ幅方向外側端）側にそれぞれ配置された２本の外側主溝１１からなり、各々タイヤ赤道面ＣＬを挟んで所定の略対称なタイヤ幅方向位置に配置されている。また、これら主溝１０、１１は、所定のピッチで僅かに屈曲しつつタイヤ周方向に略直線状に延びるストレート溝であり、その溝幅やタイヤ半径方向の深さが略同一又は同程度に形成されている。
【００１７】
陸部２０、２１、２２は、２本の中央側主溝１０により区画され、それらの間のタイヤ赤道面ＣＬ上に位置する中央陸部２０と、中央側主溝１０と外側主溝１１との間に区画（配置）された、それらの間の中間領域に位置する２つの中間陸部２１と、外側主溝１１とトレッド端との間に区画されたタイヤ幅方向最外側（ショルダ部側）に位置する２つのショルダ陸部２２と、からなる。これら各陸部２０、２１、２２のタイヤ幅方向の幅は、それらを区画する主溝１０、１１等の配置に対応して、中央陸部２０が最も広く、ショルダ陸部２２、中間陸部２１の順に狭くなっている。
【００１８】
この中央陸部２０には、複数本の略タイヤ幅方向に延びる第１のラグ溝３０及び第２のラグ溝３１と、略タイヤ周方向に延びる２種類のサイプ４０、４１と、略タイヤ幅方向に延びる２種類のサイプ４２、４３とが、タイヤ周方向に所定のパターンで繰り返し配置されている。
【００１９】
第１及び第２のラグ溝３０、３１は、一端が両側の各中央側主溝１０のそれぞれに開口（図では、第１のラグ溝３０が左側、第２のラグ溝３１が右側の各中央側主溝１０に開口）し、他端が中央陸部２０内で終端するよう所定長さに形成され、互いにタイヤ周方向に離間して配置されている。また、複数本の第１のラグ溝３０と第２のラグ溝３１は、それぞれタイヤ周方向に所定の略同一間隔で配置されるとともに、その配置位置（位相）をタイヤ周方向にずらせて、タイヤ周方向に沿って左右交互に配置されている。更に、第１及び第２のラグ溝３０、３１は、主溝１０、１１よりも狭い略同一の溝幅に形成され、それぞれ各中央側主溝１０側の開口部からタイヤ幅方向内側に向かって延び、タイヤ赤道面ＣＬ上又は、その近傍位置で終端している。
【００２０】
本実施形態では、これら第１及び第２のラグ溝３０、３１を、タイヤ幅方向に対して互いに同じ方向に、かつタイヤ幅方向から所定角度で傾斜して略直線状に延びるように形成している。また、これら複数の第１及び第２のラグ溝３０、３１は、タイヤ赤道面ＣＬ上の点を中心にして点対称に形成されている。加えて、タイヤ周方向に隣接する第１のラグ溝３０と第２のラグ溝３１との間の間隔が、各ラグ溝３０、３１を挟んだ一方側で狭く、他方側で広くなり、それらがタイヤ周方向に沿って交互になるよう、第１及び第２のラグ溝３０、３１を順次配置している。
【００２１】
この第１のラグ溝３０と第２のラグ溝３１の各終端部側には、タイヤ周方向に沿って交互に配置されたサイプ４０、４１がそれぞれ開口している。これらサイプ４０、４１は、中央陸部２０のタイヤ幅方向の略中央位置（タイヤ赤道面ＣＬ上）に、かつタイヤ周方向に隣接する第１と第２のラグ溝３０、３１間のそれぞれに順に配置されている。また、この２種類のサイプ４０、４１は、ラグ溝３０、３１間の間隔が狭い一方側に設けられた、主に第１及び第２のラグ溝３０、３１同士を連結するための連結サイプ４０、及びラグ溝３０、３１間の間隔が広い他方側に設けられた、主に中央陸部２０内の各ブロック２０Ｂをタイヤ幅方向に分割するための周方向サイプ４１からなる。連結サイプ４０は、略タイヤ周方向に直線状に、又は所定の角度で傾斜や湾曲等（ここでは右上方向に傾斜）して延び、各ラグ溝３０、３１のタイヤ赤道面ＣＬ付近の終端部に開口してそれらを連結し、それらと共に全体として中央陸部２０をタイヤ幅方向に横断している。一方、周方向サイプ４１は、ジグザグ状や波状、又は蛇行等した屈曲形状（ここでは、このような形状を総称して屈曲という）をなし、１回（１曲り）以上屈曲しつつタイヤ周方向に、又は同方向に所定の角度で傾斜等して延び、各ラグ溝３０、３１のタイヤ赤道面ＣＬ付近の終端部に開口している。
【００２２】
本実施形態では、この連結サイプ４０及び、それを介して連結された一対の第１及び第２のラグ溝３０、３１を、タイヤ周方向に所定の間隔で複数組配置し、これらにより中央陸部２０をタイヤ周方向に分断して、比較的大きな複数の大ブロック２０Ｂに区画している。また、周方向サイプ４１により、大ブロック２０Ｂを、タイヤ赤道面ＣＬを挟んでタイヤ周方向にずらせて配置された２つの平面視略矩形状の小ブロック２０Ｓに区画して、各大ブロック２０Ｂを一対の小ブロック２０Ｓに分割している。なお、図１では、１つの大ブロック２０Ｂに斜線でハッチングを付すとともに、分割された一対の小ブロック２０Ｓに、互いに逆方向に傾斜した斜線でハッチングを付している。
【００２３】
図２は、この中央陸部２０の１つの大ブロック２０Ｂを含む領域を拡大して示す平面図である。
この空気入りタイヤ１では、図示のように、左右の小ブロック２０Ｓ内に、それぞれ少なくとも１本の幅方向サイプ４２と、それらを挟んでタイヤ周方向の両側に設けられたクローズドサイプ４３とからなる、複数本のサイプ４２、４３を更に配置している。幅方向サイプ４２は、両側の端部が、それぞれ各小ブロック２０Ｓを区画する周方向サイプ４１と中央側主溝１０とに開口する両側開口サイプであり、略タイヤ幅方向に直線状や傾斜、又は屈曲等して延び、小ブロック２０Ｓを横断してタイヤ周方向に分割している。ここでは、幅方向サイプ４２は、各小ブロック２０Ｓのタイヤ周方向の略中央部に各々２本ずつ配置され、それらがタイヤ幅方向に対して同じ方向に傾斜して互いに所定間隔を開けて略平行に形成されている。
【００２４】
これに対し、クローズドサイプ４３は、１回以上屈曲しつつ全体としてタイヤ幅方向に傾斜等して延び、両端が小ブロック２０Ｓ内で終端する両端が閉じたサイプであり、幅方向サイプ４２と、そのタイヤ周方向両側の各ラグ溝３０又は３１との間に各々少なくとも１本配置されている。ここでは、クローズドサイプ４３は、２本の幅方向サイプ４２を挟んで両側に１本ずつ、それぞれ幅方向サイプ４２とラグ溝３０又は３１との間のタイヤ周方向の略中央部に、タイヤ幅方向に対して同じ方向に全体として傾斜して形成されている。この空気入りタイヤ１では、これら中央陸部２０内のサイプ４２、４３を、全てタイヤ幅方向に対して同じ方向（ここではラグ溝３０、３１とも同じ方向）に傾斜するように形成し、各小ブロック２０Ｓ内にそれぞれ４本のサイプ４２、４３を配置している。
【００２５】
一方、この中央陸部２０のタイヤ幅方向両外側の中間陸部２１（図１参照）には、それぞれ複数本の略タイヤ幅方向に延びるラグ溝３２、及び２種類のサイプ４４、４５が、タイヤ周方向に所定のパターンで繰り返し配置されている。各ラグ溝３２は、主溝１０、１１よりも狭い溝幅に、かつ、タイヤ幅方向に傾斜等して延びるように形成され、両端が、それぞれ中間陸部２１を挟む両側の各主溝１０、１１に開口して、中間陸部２１をタイヤ幅方向に横断している。ここでは、ラグ溝３２は、左右両側の中間陸部２１でタイヤ幅方向に対して互いに同じ方向に所定角度で傾斜するとともに、中央陸部２０内のラグ溝３０、３１とタイヤ幅方向に対して逆方向に傾斜し、かつ、その各タイヤ周方向の配置間隔と略同一の所定間隔でタイヤ周方向に並設されている。
【００２６】
中間陸部２１は、この複数本のラグ溝３２によりタイヤ周方向に分断されて複数の略同一形状のブロック２１Ｂに区画されている。また、各ブロック２１Ｂ内には、上記した小ブロック２０Ｓ（図２参照）と同様に、少なくとも１本の幅方向サイプ４４と、それらを挟んでタイヤ周方向の両側に設けられたクローズドサイプ４５とからなる、複数本のサイプ４４、４５が配置されている。幅方向サイプ４４は、両側の端部が、それぞれ両側の中央側主溝１０と外側主溝１１とに開口する両側開口サイプであり、略タイヤ幅方向に直線状や傾斜、又は屈曲等して延び、ブロック２１Ｂを横断してタイヤ周方向に分割している。ここでは、幅方向サイプ４４は、各ブロック２１Ｂのタイヤ周方向の略中央部に各々２本ずつ配置され、それらがタイヤ幅方向に対して同じ方向に傾斜して互いに所定間隔を開けて略平行に形成され、その両側に一対の小ブロックを区画している。
【００２７】
これに対し、クローズドサイプ４５は、１回以上屈曲しつつ全体としてタイヤ幅方向に傾斜等して延び、両端がブロック２１Ｂ内で終端する両端が閉じたサイプであり、幅方向サイプ４４と、そのタイヤ周方向両側のラグ溝３２との間に各々少なくとも１本配置されている。ここでは、クローズドサイプ４５は、２本の幅方向サイプ４４を挟んで両側の小ブロックに１本ずつ、それぞれ幅方向サイプ４４とラグ溝３２との間のタイヤ周方向の略中央部に、タイヤ幅方向に対して同じ方向に全体として傾斜して形成されている。この空気入りタイヤ１では、これら中間陸部２１内のサイプ４４、４５を、全てタイヤ幅方向に対して同じ方向に傾斜するように形成し、各ブロック２１Ｂ内にそれぞれ４本ずつ配置している。また、両サイプ４４、４５を共に、中間陸部２１内でラグ溝３２と略同じ方向に延びるように、かつ、中央陸部２０を挟んだ両側で、互いにタイヤ幅方向に対して同じ方向に所定角度で形成している。
【００２８】
また、この各中間陸部２１のタイヤ幅方向両外側のショルダ陸部２２には、それぞれ外側主溝１１と交差する方向に延びる複数本のラグ溝３３、３４と、周方向細溝５０、及び３種類のサイプ４６、４７、４８が、タイヤ周方向に所定のパターンで繰り返し配置されている。各ラグ溝３３、３４は、タイヤ幅方向に傾斜等して延び、両端が、それぞれ外側主溝１１とトレッド端側とに開口して、ショルダ陸部２２をタイヤ幅方向に横断している。この内、一方のラグ溝３３は、溝幅が主溝１０、１１よりも狭いタイヤ幅方向内側部に対し、タイヤ幅方向外側の端部が同方向に向かって広がるように形成され、他方のラグ溝３４は、全体が主溝１０、１１よりも狭い溝幅に形成されている。また、ラグ溝３３、３４は、他の各ラグ溝３０、３１、３２の配置間隔と略同じ所定間隔でタイヤ周方向に沿って交互に配置され、ショルダ陸部２２をタイヤ周方向に分断して複数のブロック２２Ｂに区画している。
【００２９】
この各ブロック２２Ｂは、タイヤ周方向に直線状に延びる周方向細溝５０により、タイヤ幅方向の略中央部で分割され、タイヤ幅方向外側及び内側の外側小ブロック２２Ｓ１と内側小ブロック２２Ｓ２とに区画される。併せて、外側小ブロック２２Ｓ１には、それぞれ１つのサイプ４６が、一端がラグ溝３３の幅広部に開口し、そこからタイヤ周方向に傾斜して延びて折れ曲がり、同方向に略直線状に延びて他端が外側小ブロック２２Ｓ１内で終端するよう形成されている。
【００３０】
これに対し、内側小ブロック２２Ｓ２は、それぞれ少なくとも１本の幅方向サイプ４７と、それらを挟んでタイヤ周方向の両側に設けられたクローズドサイプ４８とが配置される等、上記した小ブロック２０Ｓ（図２参照）と同様に構成されている。即ち、幅方向サイプ４７は、両側の端部が、それぞれ外側主溝１１と周方向細溝５０とに開口する両側開口サイプであり、略タイヤ幅方向に傾斜等して延び、内側小ブロック２２Ｓ２を横断してタイヤ周方向に分割している。ここでは、幅方向サイプ４７は、各内側小ブロック２２Ｓ２のタイヤ周方向の略中央部に各々２本ずつ配置され、それらがタイヤ幅方向に対して同じ方向に傾斜して略平行に形成され、内側小ブロック２２Ｓ２を更に区画している。
【００３１】
また、クローズドサイプ４８は、１回以上屈曲しつつ全体としてタイヤ幅方向に傾斜等して延び、両端が内側小ブロック２２Ｓ２内で終端する両端が閉じたサイプであり、幅方向サイプ４７と、その両側の各ラグ溝３３、３４との間に各々少なくとも１本配置されている。ここでは、クローズドサイプ４８は、２本の幅方向サイプ４７を挟んで両側に１本ずつ、それぞれ幅方向サイプ４７とラグ溝３３、３４との間のタイヤ周方向の略中央部に、タイヤ幅方向に対して同じ方向に傾斜して形成されている。この空気入りタイヤ１では、これら内側小ブロック２２Ｓ２内のサイプ４７、４８を、全てタイヤ幅方向に対して同じ方向に傾斜するとともに、ラグ溝３３、３４と略同じ方向に、かつ中央陸部２０のラグ溝３０、３１等とも、タイヤ幅方向に対して略同じ方向に延びるように形成している。
【００３２】
なお、この空気入りタイヤ１では、以上の各サイプ４０〜４８のタイヤ半径方向深さを、全て中央側主溝１０（及び外側主溝１１）のタイヤ半径方向深さの５０〜１００％の範囲の深さに形成している。また、中央陸部２０内の第１のラグ溝３０と第２のラグ溝３１、中間陸部２１内のラグ溝３２、及びショルダ陸部２２内のラグ溝３３、３４の位相を、互いにタイヤ周方向に所定の距離だけずらし、それらの各タイヤ周方向の配置位置が、順次タイヤ周方向にずれるように配置している。更に、ここでは、中間陸部２１のタイヤ幅方向の最大幅Ｖが、中央陸部２０のタイヤ幅方向の最大幅Ｗの４０〜７５％の範囲の幅になるように、各主溝１０、１１を配置して、各陸部２０、２１、２２を形成している。
【００３３】
以上説明した本実施形態の空気入りタイヤ１では、中央陸部２０を、複数組のラグ溝３０、３１及び連結サイプ４０により、比較的大きな大ブロック２０Ｂに区画したため、そのブロック剛性も比較的高くなり、かつ充分なエッジ成分及びエッジ量（長さ）を確保することができる。また、各大ブロック２０Ｂを、屈曲形状の周方向サイプ４１により小ブロック２０Ｓに分割したため、大ブロック２０Ｂ内のエッジ成分をより増加させることができる。同時に、この周方向サイプ４１の形状に起因して、荷重負荷転動時等の力が作用したときに、これを挟む両側の小ブロック２０Ｓ同士が、屈曲形状のサイプ壁の接触により、互いに変形や倒れ込み等を抑制し合う効果が得られる。この隣接する小ブロック２０Ｓ同士の相互補完効果により、ブロック剛性の低下を防止することもできる。
【００３４】
加えて、この空気入りタイヤ１では、各小ブロック２０Ｓ内に、両側が開口した幅方向サイプ４２及び、ブロック剛性を低下させ難く、エッジ量も多い屈曲形状のクローズドサイプ４３からなる複数本のサイプ４２、４３を配置している。そのため、従来に比べて、大ブロック２０Ｂ内のサイプ数や長さ及び、氷雪上での走行において車両前後方向に効果を発揮するエッジ成分を増加させて、エッジ効果を高めながら、ブロック剛性の低下を抑制することもできる。また、ここでは、この小ブロック２０Ｓを、タイヤ赤道面ＣＬを中心に２列配置することで、タイヤ周方向の接地長さが最も長く、氷雪上性能への影響が大きいタイヤ赤道面ＣＬを含むセンター部に、タイヤ幅方向に延びるエッジ成分を集中配置している。その結果、ブロック剛性を維持できることに加えて、氷雪上性能を効果的に高めることができる。
【００３５】
このように、一般的には、エッジ長さを長くするとブロックが小さくなる等してブロック剛性が低下する結果、耐偏摩耗性能を含む耐摩耗性能が低下するのに対し、この空気入りタイヤ１では、それらを回避することができる。即ち、この空気入りタイヤ１では、上記のように、氷雪上性能に影響する中央陸部２０内のエッジ成分を増加させても、大ブロック２０Ｂの剛性が低くなるのを抑制でき、摩耗が生じ易くなる不具合を防止して、耐摩耗性能の低下を抑制することができる。従って、本実施形態によれば、空気入りタイヤ１に、充分な耐摩耗性能を確保しつつ、その氷雪上でのトラクション性能やブレーキ性能等の氷雪上性能を向上させ、それらを両立させることができる。
【００３６】
また、この空気入りタイヤ１では、中間陸部２１及びショルダ陸部２２も同様に、それぞれ複数のブロック２１Ｂ、２２Ｂに区画して複数本のサイプ４４〜４８を配置したため、スタッドレスタイヤとしての充分なエッジ量（エッジ効果）を確保することができる。更に、中間陸部２１のブロック２１Ｂを、幅方向サイプ４４により小ブロックに分割し、かつ、その両側の各小ブロック内に屈曲形状のクローズドサイプ４５を少なくとも１本配置したため、ブロック２１Ｂの剛性低下を抑制しつつ、より大きなエッジ効果を得ることができる。
【００３７】
加えて、各ラグ溝３０〜３４のタイヤ幅方向に対する傾斜方向を、陸部２０、２１、２２毎に、交互に異なる方向に形成したため、異なる方向に対してもエッジ効果が発揮され、氷雪上性能を効果的に向上させることができる。また、この空気入りタイヤ１では、これら各ラグ溝３０〜３４のそれぞれの位相（タイヤ周方向の配置位置）を、互いにタイヤ周方向にずらせて配置したため、各ブロック２０Ｂ、２１Ｂ、２２Ｂ等も異なるタイヤ周方向位置に配置される。その結果、それらトレッド部２内の各要素が、タイヤ転動時に順次接地してエッジ効果が連続的に絶えず発揮される等して、高い氷雪上性能をコンスタントに得ることもできる。
【００３８】
ここで、中間陸部２１のタイヤ幅方向の最大幅Ｖを、中央陸部２０のタイヤ幅方向の最大幅Ｗの４０％よりも狭くした場合には、中間陸部２１の幅が狭くなるのに伴い、そのブロック２１Ｂの剛性が低下して、中間陸部２１に偏摩耗が発生し易くなる恐れがある。一方、この最大幅Ｖを最大幅Ｗの７５％よりも広くした場合には、逆に、中央陸部２０の幅が狭くなり、そのブロック２０Ｂの剛性が低下して、中央陸部２０に偏摩耗が発生し易くなる恐れがある。従って、中間陸部２１の最大幅Ｖは、中央陸部２０の最大幅Ｗの４０〜７５％の範囲の幅にするのがより望ましく、これにより、両陸部２０、２１の耐摩耗性能を共に確保できる。
【００３９】
また、各サイプ４０〜４８のタイヤ半径方向深さを、主溝１０、１１のタイヤ半径方向深さの５０％よりも浅くした場合には、トレッド部２の摩耗に伴いサイプ４０〜４８が早期に浅くなり又は消失し、氷雪上性能が低下する恐れがある。併せて、それらが形成されたブロック２０Ｂ、２１Ｂ、２２Ｂの変形が必要以上に小さくなり、氷雪路面を走行時にトラクション抜けが発生し易くなる等、氷雪上性能（特にトラクション性能）が低下する恐れがある。これに対し、逆に、１００％よりも深くした場合には、各ブロック剛性が低くなり過ぎて接地性が低下等し、トラクション性能やブレーキ性能等の氷雪上性能が低下し、又は充分な耐摩耗性能を確保できない恐れがある。従って、各サイプ４０〜４８は、主溝１０、１１の深さの５０〜１００％の範囲の深さに形成するのがより望ましい。
【００４０】
なお、本実施形態では、各主溝１０、１１を、タイヤ周方向に略直線状に延びるストレート溝に形成したが、これらは、例えば、タイヤ幅方向の振幅をより大きくしてジグザグ状に屈曲させる等、他の態様でタイヤ周方向に延びるように形成してもよい。ただし、主溝１０、１１をストレート溝に形成した場合には、その排雪性がより高くなり、空気入りタイヤ１の雪上性能を一層向上できるため、主溝１０、１１は、そのように形成するのがより望ましい。また、この空気入りタイヤ１では、中央陸部２０内のサイプ４０、４１を、タイヤ赤道面ＣＬ上に配置したが、タイヤ幅方向にずらせて配置する等、それぞれ他のタイヤ幅方向位置に配置してもよい。更に、中央陸部２０の小ブロック２０Ｓには、クローズドサイプ４３を、幅方向サイプ４２を挟んだ両側に１本ずつ配置する他に、複数本ずつ配置してもよく、幅方向サイプ４２の配置位置等によっては、その両側にクローズドサイプ４３を異なる本数ずつ配置するようにしてもよい。
【００４１】
（タイヤ試験）
本発明の効果を確認するため、以上説明したトレッドパターン（図１参照）を備えた実施例の空気入りタイヤ１（以下、実施品という）と、上記した従来のトレッドパターン（図３参照）を備えた従来例（比較例）の空気入りタイヤ１００（以下、従来品という）とを試作して、以下の条件で氷雪上性能と耐摩耗性能の比較試験を行った。実施品と従来品は、ともにＪＡＴＭＡ  ＹＥＡＲ  ＢＯＯＫ（２００７、日本自動車タイヤ協会規格）で定めるタイヤサイズ１１Ｒ２２．５−１６ＰＲのトラック及びバス用ラジアルプライタイヤである。
【００４２】
各試験は、実施品及び従来品を、サイズ７．５０のリムに装着して空気圧を９００ｋＰａにし、それぞれ２−Ｄ・４（前輪が２輪の１軸、後輪が駆動複２輪及び複２輪の２軸）の車両に取り付け、正規荷重を負荷した状態で行った。また、氷雪上性能は、新品時における実施品及び従来品の氷上トラクション性能及び氷上ブレーキ性能を試験して評価した。
【００４３】
氷上トラクション性能試験は、テストコース（アイス路面）で、車両を停止状態から発進させて発進加速度を測定し、その測定結果を、従来品を基準に比較・評価した。また、氷上ブレーキ性能試験は、テストコース（アイス路面）で、所定速度で走行する車両をフル制動したときの制動距離を測定して減速度を求め、その結果を、従来品を基準に比較・評価した。一方、耐摩耗性能試験は、テストコース（ドライ路面）を新品の各タイヤで同一条件により走行し、そのときの摩耗ライフ（寿命）を実測して、その結果を、従来品を基準に比較・評価した。
【００４４】
表１に、これら各試験結果を示すが、いずれも従来品の結果を１００とした指数で表し、その値が大きいほど結果が良好で性能が高いことを示している。
【００４５】
【表１】
0005219128.tif 000002
【００４６】
その結果、表１に示すように、発進加速度指数は、従来品の１００に対して、実施品では１１５と大きくなっており、氷上トラクション性能が大きく向上したことが分かった。また、減速度指数は、従来品の１００に対して、実施品では１１５と大きくなっており、氷上ブレーキ性能が大きく向上したことが分かった。これらに対し、摩耗ライフ指数は、従来品の１００に対して実施品では１０１であり、耐摩耗性能を同程度に維持できることが分かった。
【００４７】
以上の結果から、本発明により、空気入りタイヤ１の耐摩耗性能を確保しつつ、氷雪上でのトラクション性能やブレーキ性能等の氷雪上性能を向上できることが証明された。
【図面の簡単な説明】
【００４８】
【図１】本実施形態の空気入りタイヤのトレッドパターンを展開して示す平面図である。
【図２】中央陸部の１つの大ブロックを含む領域を拡大して示す平面図である。
【図３】従来の空気入りタイヤのトレッドパターンの一例を展開して示す平面図である。
【符号の説明】
【００４９】
１・・・空気入りタイヤ、２・・・トレッド部、１０・・・中央側主溝、１１・・・外側主溝、２０・・・中央陸部、２０Ｂ・・・大ブロック、２０Ｓ・・・小ブロック、２１・・・中間陸部、２１Ｂ・・・ブロック、２２・・・ショルダ陸部、２２Ｂ・・・ブロック、２２Ｓ１・・・外側小ブロック、２２Ｓ２・・・内側小ブロック、３０・・・ラグ溝、３１・・・ラグ溝、３２・・・ラグ溝、３３・・・ラグ溝、３４・・・ラグ溝、４０・・・連結サイプ、４１・・・周方向サイプ、４２・・・幅方向サイプ、４３・・・クローズドサイプ、４４・・・幅方向サイプ、４５・・・クローズドサイプ、４６・・・サイプ、４７・・・幅方向サイプ、４８・・・クローズドサイプ、５０・・・周方向細溝、ＣＬ・・・タイヤ赤道面。
【図１】
0005219128.tif 000003
【図２】
0005219128.tif 000004
【図３】
0005219128.tif 000005